(57)【要約】【課題】吹出口から吹き出された空調用空気の温度が周囲の空気の温度に近づくのを抑制する。【解決手段】空調用空気Ａ１の通風路１３を有するリテーナ１１における吹出口１８は、相対向する一対の短辺部２１と、両短辺部２１に対し交差した状態で相対向する一対の長辺部とからなる。リテーナ１１は、長辺部に沿う方向に対向する一対の第１対向壁部１５と、短辺部２１に沿う方向に相対向する一対の第２対向壁部１６とを備える。リテーナ１１内には、それぞれ板状をなす複数のフィン本体３４が互いに長辺部に沿う方向に離間した状態で配置される。各フィン本体３４は、短辺部２１に沿う方向へ延びるフィン軸３５により、第２対向壁部１６に対し傾動可能に支持される。一方の第１対向壁部１５の下流端部１５ａは、他方の第１対向壁部１５の下流端部１５ａに対し、空調用空気Ａ１の流れ方向における下流側ほど近づくように傾斜している。【選択図】図３
2020172189.tif 000002
【特許請求の範囲】
【請求項１】
空調用空気の通風路が形成され、かつ同空調用空気の流れ方向における下流端に吹出口を有するリテーナを備え、
前記吹出口は、相対向する一対の短辺部と、両短辺部に対し交差した状態で相対向し、かつそれぞれ各短辺部よりも長い一対の長辺部とからなり、
前記リテーナは、前記長辺部に沿う方向に相対向する一対の第１対向壁部と、前記短辺部に沿う方向に相対向する一対の第２対向壁部とを備え、
前記リテーナ内には、複数のフィンが互いに前記長辺部に沿う方向に離間した状態で配置され、
各フィンは、前記短辺部及び前記流れ方向に沿って延びる板状のフィン本体を備え、かつ前記短辺部に沿う方向へ延びるフィン軸により前記第２対向壁部に対し傾動可能に支持された空調用薄型レジスタであって、
一方の前記第１対向壁部の前記流れ方向における下流端部は、他方の前記第１対向壁部の前記流れ方向における下流端部に対し、同方向における下流側ほど近づくように傾斜している空調用薄型レジスタ。
【請求項２】
複数の前記フィンをフィン群とし、前記フィン群における複数の前記フィンのうち、前記長辺部に沿う方向の両端のフィンをそれぞれ端フィンとし、各端フィンの隣のフィンを準端フィンとし、両準端フィン間のフィンを中間フィンとし、前記中間フィンが前記通風路の中心軸線に対し平行になる状態を、前記フィン群の中立状態とした場合において、
前記中立状態では、一方の前記端フィンが、他方の前記端フィンに対し、前記流れ方向における下流側ほど近づくように傾斜している請求項１に記載の空調用薄型レジスタ。
【請求項３】
前記中立状態では、一方の前記準端フィンが、他方の前記準端フィンに対し、前記流れ方向における下流側ほど近づくように傾斜している請求項２に記載の空調用薄型レジスタ。
【請求項４】
複数の前記フィンをフィン群とし、前記フィン群における複数の前記フィンのうち、前記長辺部に沿う方向の両端のフィンをそれぞれ端フィンとし、各端フィンの隣のフィンを準端フィンとし、両準端フィン間のフィンを中間フィンとし、前記中間フィンが前記通風路の中心軸線に対し平行になる状態を、前記フィン群の中立状態とした場合において、
前記中立状態では、一方の前記端フィンが、他方の前記端フィンに対し、前記流れ方向における下流側ほど遠ざかるように傾斜している請求項１に記載の空調用薄型レジスタ。
【請求項５】
前記中立状態では、一方の前記準端フィンが、他方の前記準端フィンに対し、前記流れ方向における下流側ほど遠ざかるように傾斜している請求項４に記載の空調用薄型レジスタ。
【請求項６】
前記リテーナは、前記流れ方向における一部に、前記通風路の流路面積が下流側ほど小さくなる縮流部を有しており、
前記流れ方向における前記縮流部の下流端は、同方向における前記フィン本体の下流端と同じ、又は同下流端よりも上流に位置し、
前記流れ方向における前記縮流部の上流端は、同方向における前記フィン本体の上流端よりも上流に位置している請求項１〜５のいずれか１項に記載の空調用薄型レジスタ。
【請求項７】
前記縮流部では、一方の前記第２対向壁部が、他方の前記第２対向壁部に対し、前記流れ方向における下流側ほど近づくように傾斜している請求項６に記載の空調用薄型レジスタ。
【発明の詳細な説明】
【技術分野】
【０００１】
本発明は、空調装置から送られてくる空調用空気を、長方形状の吹出口から室内に吹き出す空調用薄型レジスタに関する。
【背景技術】
【０００２】
車両のインストルメントパネルには、空調装置から送られてきて吹出口から車室内に吹き出される空調用空気の向きを変更等するための空調用レジスタが組込まれている（例えば、特許文献１参照）。この空調用レジスタの一形態として、意匠性向上等のために、縦方向と横方向とで吹出口の寸法が大きく異なるタイプ（以下「空調用薄型レジスタ」という）が従来から種々考えられている。
【０００３】
この空調用薄型レジスタは、一般的な空調用レジスタと同様に、空調用空気の通風路が形成されたリテーナと、複数のフィンとを備える。リテーナは、空調用空気の流れ方向における下流端に吹出口を有する。空調用薄型レジスタにおいては、吹出口は、相対向する一対の短辺部と、両短辺部に対し交差した状態で相対向し、かつそれぞれ各短辺部よりも長い一対の長辺部とからなり、長方形状をなす。リテーナは、長辺部に沿う方向に相対向する一対の第１対向壁部と、短辺部に沿う方向に相対向する一対の第２対向壁部とを備える。複数のフィンは、互いに長辺部に沿う方向に離間した状態でリテーナ内に配置される。各フィンは、短辺部に沿う方向へ延びるフィン軸により、両第２対向壁部に対し傾動可能に支持される。
【０００４】
上記構成を有する空調用薄型レジスタでは、空調装置から送られてきた空調用空気は、リテーナに流入すると、フィンに沿って流れ、吹出口から吹き出される。各フィンが、通風路の中心軸線に対し平行な中立状態にされると、空調用空気が中心軸線に沿って吹出口から真っ直ぐ吹き出される。吹出口から吹き出された空調用空気は、周囲の空気を巻き込み（取り込み）ながら流れて、乗員に吹き付けられる。
【先行技術文献】
【特許文献】
【０００５】
【特許文献１】特開２０１７−２０６０６８号公報
【発明の概要】
【発明が解決しようとする課題】
【０００６】
ところが、上記従来の空調用薄型レジスタでは、フィンが上記中立状態にされて、吹出口から空調用空気が吹き出されると、周囲の空気の影響を受けて、温度が周囲の温度に近づく。例えば、吹出口から冷えた空調用空気が吹き出された場合には、その空調用空気の温度が上昇する。また、吹出口から温かい空調用空気が吹き出された場合には、その空調用空気の温度が下降する。こうした傾向は、吹出口における短辺部が短くなるほど顕著になる。
【０００７】
これは、以下のような理由によるものと考えられる。
吹出口から吹き出された空調用空気の上記流れ方向に直交する面での流速の分布を、空調用空気の流速分布とする。この流速分布では、中心部分に近づくに従い流速が速くなる。また、中心部分に近づくに従い温度が、吹出口から吹き出されたときの温度に近づく。
【０００８】
空調用空気が吹出口から中心軸線に対し平行な状態で吹き出された場合の流速分布の形状は、長辺部に沿う方向の寸法よりも短辺部に沿う方向の寸法が小さな扁平な形状となる。こうした形状の流速分布を有する空調用空気では、周囲の空気が、短辺部に沿う方向の外方から中心部分に到達しやすい。この中心部分が周囲の空気の温度の影響を受けて、その温度に近づく側へ温度変化を起こしやすい。その結果、従来の空調用薄型レジスタでは、空調用空気が、吹出口から吹き出されたときよりも周囲の空気の温度に近い温度で乗員に吹き付けられるおそれがある。この場合には、空調による快適性が損なわれてしまう。
【０００９】
本発明は、このような実情に鑑みてなされたものであって、その目的は、吹出口から吹き出された空調用空気の温度が周囲の空気の温度に近づくのを抑制することのできる空調用薄型レジスタを提供することにある。
【課題を解決するための手段】
【００１０】
上記課題を解決する空調用薄型レジスタは、空調用空気の通風路が形成され、かつ同空調用空気の流れ方向における下流端に吹出口を有するリテーナを備え、前記吹出口は、相対向する一対の短辺部と、両短辺部に対し交差した状態で相対向し、かつそれぞれ各短辺部よりも長い一対の長辺部とからなり、前記リテーナは、前記長辺部に沿う方向に相対向する一対の第１対向壁部と、前記短辺部に沿う方向に相対向する一対の第２対向壁部とを備え、前記リテーナ内には、複数のフィンが互いに前記長辺部に沿う方向に離間した状態で配置され、各フィンは、前記短辺部及び前記流れ方向に沿って延びる板状のフィン本体を備え、かつ前記短辺部に沿う方向へ延びるフィン軸により前記第２対向壁部に対し傾動可能に支持された空調用薄型レジスタであって、一方の前記第１対向壁部の前記流れ方向における下流端部は、他方の前記第１対向壁部の前記流れ方向における下流端部に対し、同方向における下流側ほど近づくように傾斜している。
【００１１】
上記の構成によれば、空調装置から送られてきた空調用空気は、リテーナに流入すると、フィンに沿って流れた後、吹出口から吹き出される。通風路において長辺部に沿う方向の両側部分を流れる空調用空気の一部は、両第１対向壁部に沿って流れた後に、吹出口の長辺部に沿う方向の両側部分から吹き出される。この際、仮に、両第１対向壁部の上記流れ方向における下流端部が平行であると、吹出口から吹き出された空調用空気の流速分布の形状は、吹出口の形状に対応した形状になる。すなわち、流速分布の形状は、長辺部に沿う方向の寸法が短辺部に沿う方向の寸法よりも長い扁平な形状となる。
【００１２】
この点、上記の構成によれば、一方の第１対向壁部の下流端部が、他方の第１対向壁部の下流端部に対し、空調用空気の流れ方向における下流側ほど近づくように、すなわち、両下流端部の間隔が下流側ほど狭まるように、傾斜している。そのため、各下流端部に沿って流れて、吹出口の長辺部に沿う方向の両側部分から吹き出された空調用空気は、同吹出口から下流側に遠ざかるに従い、長辺部に沿う方向に互いに接近する。
【００１３】
従って、上記流速分布の形状は、上記流れ方向における下流側ほど、長辺部に沿う方向の寸法と、短辺部に沿う方向の寸法との差が小さな形状に変化して、円形に近づいていく。こうした形状の流速分布を有する空調用空気では、上記扁平な形状の流速分布を有する空調用空気に比べ、周囲の空気が中心部分に到達しにくい。この中心部分は、周囲の空気の温度の影響を受けにくく温度変化を起こしにくい。このようにして、吹出口から吹き出された空調用空気の温度が周囲の空気の温度に近づくことが抑制される。吹出口から吹き出されたときの温度に近い温度の空調用空気が乗員に吹き付けられ、空調による快適性が向上する。
【００１４】
上記空調用薄型レジスタにおいて、複数の前記フィンをフィン群とし、前記フィン群における複数の前記フィンのうち、前記長辺部に沿う方向の両端のフィンをそれぞれ端フィンとし、各端フィンの隣のフィンを準端フィンとし、両準端フィン間のフィンを中間フィンとし、前記中間フィンが前記通風路の中心軸線に対し平行になる状態を、前記フィン群の中立状態とした場合において、前記中立状態では、一方の前記端フィンが、他方の前記端フィンに対し、前記流れ方向における下流側ほど近づくように傾斜していることが好ましい。
【００１５】
上記の構成によれば、上記中立状態では、一方の端フィンは、他方の端フィンに対し、上記流れ方向における下流側ほど近づくように、すなわち、両端フィンの間隔が下流側ほど狭まるように、傾斜する。通風路において長辺部に沿う方向の両側部分を流れる空調用空気の一部は、上記のように傾斜した両端フィンに沿って流れた後に、吹出口の長辺部に沿う方向の両側部分から吹き出される。これらの空調用空気は、吹出口から下流側に遠ざかるに従い、長辺部に沿う方向に互いに接近する。これらの空調用空気の分、吹出口から下流側に遠ざかるに従い互いに接近する空調用空気の量が多くなる。
【００１６】
従って、上記中立状態で、上記のように、一方の端フィンが他方の端フィンに対し傾斜しない場合に比べ、空調用空気の上記流速分布の形状が、より円形に近づく。
上記空調用薄型レジスタにおいて、前記中立状態では、一方の前記準端フィンが、他方の前記準端フィンに対し、前記流れ方向における下流側ほど近づくように傾斜していることが好ましい。
【００１７】
上記の構成によれば、上記中立状態では、一方の準端フィンは、他方の準端フィンに対し、上記流れ方向における下流側ほど近づくように、すなわち、両準端フィンの間隔が下流側ほど狭まるように、傾斜する。通風路において長辺部に沿う方向の両側部分を流れる空調用空気の一部は、上記のように傾斜した両準端フィンに沿って流れた後に、吹出口の長辺部に沿う方向の両側部分から吹き出される。これらの空調用空気は、吹出口から下流側に遠ざかるに従い、長辺部に沿う方向に互いに接近する。これらの空調用空気の分、吹出口から下流側に遠ざかるに従い、長辺部に沿う方向に互いに接近する空調用空気の量がさらに多くなる。
【００１８】
従って、上記中立状態で、上記のように、一方の準端フィンが他方の準端フィンに対し傾斜せず、端フィンのみが傾斜する場合に比べ、空調用空気の上記流速分布の形状が、さらに円形に近づく。
【００１９】
上記空調用薄型レジスタにおいて、複数の前記フィンをフィン群とし、前記フィン群における複数の前記フィンのうち、前記長辺部に沿う方向の両端のフィンをそれぞれ端フィンとし、各端フィンの隣のフィンを準端フィンとし、両準端フィン間のフィンを中間フィンとし、前記中間フィンが前記通風路の中心軸線に対し平行になる状態を、前記フィン群の中立状態とした場合において、前記中立状態では、一方の前記端フィンが、他方の前記端フィンに対し、前記流れ方向における下流側ほど遠ざかるように傾斜していることが好ましい。
【００２０】
上記の構成によれば、上記中立状態では、一方の端フィンが、他方の端フィンに対し、上記流れ方向における下流側ほど遠ざかるように、すなわち、両端フィンの間隔が下流側ほど広がるように、傾斜する。通風路において長辺部に沿う方向の両側部分を流れる空調用空気の一部は、上記のように傾斜した両端フィンに沿って流れた後に、上記下流端部に当たって流れ方向を、同下流端部に沿う方向に変えられる。上記のように流れ方向を変えられた空調用空気の分、各下流端部に沿って流れて、吹出口の長辺部に沿う方向の両側部分から吹き出される空調用空気の量が多くなる。これに伴い、吹出口から下流側に遠ざかるに従い、長辺部に沿う方向に互いに接近する空調用空気の量が多くなる。
【００２１】
従って、上記中立状態で、上記のように、一方の端フィンが他方の端フィンに対し傾斜しない場合に比べ、空調用空気の上記流速分布の形状が、円形に近づく。
上記空調用薄型レジスタにおいて、前記中立状態では、一方の前記準端フィンが、他方の前記準端フィンに対し、前記流れ方向における下流側ほど遠ざかるように傾斜していることが好ましい。
【００２２】
上記の構成によれば、上記中立状態では、一方の準端フィンが、他方の準端フィンに対し、上記流れ方向における下流側ほど遠ざかるように、すなわち、両準端フィンの間隔が下流側ほど広がるように、傾斜する。通風路において長辺部に沿う方向の両側部分を流れる空調用空気の一部は、上記のように傾斜した両準端フィンに沿って流れた後に、上記下流端部に当たって流れ方向を、同下流端部に沿う方向に変えられる。上記のように流れ方向を変えられた空調用空気の分、各下流端部に沿って流れて吹出口から吹き出される空調用空気の量がさらに多くなる。これに伴い、吹出口から下流側に遠ざかるに従い、長辺部に沿う方向に互いに接近する空調用空気の量がさらに多くなる。
【００２３】
従って、上記中立状態で、上記のように、一方の準端フィンが他方の準端フィンに対し傾斜せず、端フィンのみが傾斜する場合に比べ、空調用空気の上記流速分布の形状が、さらに円形に近づく。
【００２４】
上記空調用薄型レジスタにおいて、前記リテーナは、前記流れ方向における一部に、前記通風路の流路面積が下流側ほど小さくなる縮流部を有しており、前記流れ方向における前記縮流部の下流端は、同方向における前記フィン本体の下流端と同じ、又は同下流端よりも上流に位置し、前記流れ方向における前記縮流部の上流端は、同方向における前記フィン本体の上流端よりも上流に位置していることが好ましい。
【００２５】
上記の構成によれば、リテーナ内に流入した空調用空気は、上記のように、通風路の流路面積が下流側ほど小さくなる縮流部を流れることで、流速を速められる。これに伴い、吹出口の長辺部に沿う方向の両側部分から吹き出された空調用空気が、同吹出口から下流側に遠ざかるに従い、長辺部に沿う方向に互いに接近しようとする力が強められる。そのため、空調用空気の上記流速分布の形状は、より円形に近い形状になる。
【００２６】
上記空調用薄型レジスタにおいて、前記縮流部では、一方の前記第２対向壁部が、他方の前記第２対向壁部に対し、前記流れ方向における下流側ほど近づくように傾斜していることが好ましい。
【００２７】
一方の第２対向壁部が、上記の条件を満たすように、他方の第２対向壁部に対し傾斜することで、上記流れ方向における下流側ほど通風路の流路面積が小さくなる縮流部がリテーナに形成される。
【発明の効果】
【００２８】
上記空調用薄型レジスタによれば、吹出口から吹き出された空調用空気の温度が周囲の空気の温度に近づくのを抑制することができる。
【図面の簡単な説明】
【００２９】
【図１】第１実施形態における空調用薄型レジスタの正面図。
【図２】図１の２−２線に沿った空調用薄型レジスタの断面図。
【図３】図１の３−３線に沿った空調用薄型レジスタの断面図。
【図４】図１の４−４線に沿った空調用薄型レジスタの断面図。
【図５】（ａ）は、第１実施形態において、吹出口から吹き出された空調用空気の流速分布を示す説明図、（ｂ）は比較例における流速分布を示す説明図。
【図６】第１実施形態における空調用薄型レジスタの変形例を示す図であり、上記図２に対応する断面図。
【図７】第２実施形態の空調用薄型レジスタを示す図であり、上記図３に対応する断面図。
【発明を実施するための形態】
【００３０】
（第１実施形態）
以下、車両用の空調用薄型レジスタに具体化した第１実施形態について、図１〜図５を参照して説明する。
【００３１】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３２】
車室内において、車両の前席（運転席及び助手席）の前方にはインストルメントパネルが設けられ、その左右方向における中央部、側部等には空調用薄型レジスタが組み込まれている。この空調用薄型レジスタの主な機能は、空調装置から送られてきて、車室内に吹き出される空調用空気の向きを変更すること、同空調用空気の吹出し量を調整すること等である。
【００３３】
図１〜図４に示すように、空調用薄型レジスタ１０の外殻部分は、リテーナ１１によって構成されている。リテーナ１１は、空調装置の送風ダクト（図示略）に接続されるものであり、リテーナ本体１２及びベゼル１７を備えている。
【００３４】
リテーナ本体１２は、両端が開放された筒状をなしている。リテーナ本体１２の内部空間は、空調用空気Ａ１の流路である通風路１３を構成している。ここで、空調用空気Ａ１の流れ方向に関し、空調装置に近い側を「上流」、「上流側」等といい、同空調装置から遠い側を「下流」、「下流側」等というものとする。
【００３５】
リテーナ本体１２の上流側の開放端は、空調装置から送風ダクトを介して送られてきた空調用空気Ａ１の流入口１４を構成している。
ベゼル１７は、リテーナ１１の下流端部を構成する部材である。ベゼル１７は、空調用空気Ａ１の吹出口１８を有している。ベゼル１７の下流側の面であって、吹出口１８の周りの部分は、空調用薄型レジスタ１０の意匠面を構成している。
【００３６】
吹出口１８は、相対向する一対の短辺部２１と、両短辺部２１に対し交差した状態で相対向し、かつそれぞれ各短辺部２１よりも長い一対の長辺部２２とからなる。第１実施形態では、両短辺部２１は、互いに平行に離間した状態で略上下方向へ延びている。両長辺部２２は、互いに平行に離間した状態で、両短辺部２１に対し直交する方向である左右方向へ延びている。こうした構成の吹出口１８は、上下方向よりも左右方向に細長い横長の長方形状をなしている。
【００３７】
リテーナ本体１２は、長辺部２２に沿う方向である左右方向に相対向する一対の第１対向壁部１５と、短辺部２１に沿う方向である上下方向に相対向する一対の第２対向壁部１６とを備えている。
【００３８】
リテーナ本体１２内には、吹出口１８から上流側へ向けて順に、下流フィン群、上流フィン群及びシャットダンパ４１が配置されている。
下流フィン群は、吹出口１８から吹き出される空調用空気Ａ１の上下方向の向きを変更するためのものであり、一対の下流フィン２３とバレル２４とからなる。両下流フィン２３のそれぞれの主要部は、左右方向及び上記流れ方向に延びる横長の板状をなしている。両下流フィン２３は互いに上下方向に離間している。各下流フィン２３は、自身の左右両端部に設けられたフィン軸（図示略）において、両第１対向壁部１５に対し傾動可能に支持されている。
【００３９】
バレル２４は、左右方向に離間した状態で配置された円板状の側板部２５（図３参照）と、同方向へ延びて両側板部２５間に架け渡された上下一対の主フィン２６と、両主フィン２６間で同方向へ延びて両側板部２５に架け渡された補助フィン２７とからなり、両下流フィン２３の上流に配置されている。
【００４０】
両主フィン２６は、上下方向へ互いに離間している。両主フィン２６の下流部２６ｂは、互いに平行に離間している。両主フィン２６の上流部２６ａは、上流ほど互いの間隔が拡大するように、下流部２６ｂに対し傾斜している。補助フィン２７は、両下流部２６ｂ間の中央部分において、両下流部２６ｂに対し平行な状態で配置されている。
【００４１】
バレル２４は、側板部２５毎に設けられた軸２８において、両第１対向壁部１５に傾動可能に支持されている。
上流フィン群は、吹出口１８から吹き出される空調用空気Ａ１の左右方向の向きを変更するためのものであり、特許請求の範囲における「フィン群」に該当する。上流フィン群は、上記補助フィン２７よりも上流において、互いに左右方向に離間した状態で配置された複数のフィンからなる。これらのフィンは、左右方向の両端に配置された一対の端フィン３１と、両端フィン３１間において同端フィン３１の隣に位置する一対の準端フィン３２と、両準端フィン３２間に配置された複数の中間フィン３３とからなる。上記両端フィン３１、両準端フィン３２及び複数の中間フィン３３は、特許請求の範囲における「フィン」に該当するものであり、互いに同様の構成を有している。両端フィン３１、両準端フィン３２及び全ての中間フィン３３のそれぞれの主要部は、上下方向及び上記流れ方向に延びる板状のフィン本体３４によって構成されている。第１実施形態では、フィン本体３４として、上下方向の寸法が、同フィン本体３４の上流部において、下流部よりも大きいものが用いられている（図２参照）。フィン本体３４の上記上流部では、上下方向の寸法が上記流れ方向に一定である。また、フィン本体３４の上記下流部では、上下方向の寸法が上記流れ方向に一定である。
【００４２】
全ての中間フィン３３におけるフィン本体３４は、左右方向には、略等間隔で互いに略平行に離間した状態で配置されている。
両端フィン３１、両準端フィン３２及び全ての中間フィン３３のそれぞれは、フィン本体３４の上端部及び下端部に、上下方向に延びるフィン軸３５を備えており、これらのフィン軸３５において、両第２対向壁部１６に傾動可能に支持されている。
【００４３】
各上側のフィン軸３５は、上側の第２対向壁部１６よりも上方へ突出しており、この突出部分からは、アーム３６が上流へ向けて延びている。各アーム３６の上流端部からは、連結ピン３７が上方へ向けて突出している。両端フィン３１、両準端フィン３２及び全ての中間フィン３３のそれぞれにおける連結ピン３７は、左右方向に延びる連結ロッド３８によって相互に連結されている。両端フィン３１、両準端フィン３２及び全ての中間フィン３３のそれぞれにおけるフィン軸３５、アーム３６及び連結ピン３７と、連結ロッド３８とにより、リンク機構ＬＭが構成されている。
【００４４】
シャットダンパ４１は、吹出口１８からの空調用空気Ａ１の吹出し量を調整するためのものであり、通風路１３の上流フィン群よりも上流に配置されている。吹き出し量の調整には、通風路１３を閉鎖して吹き出しを遮断することも含まれている。シャットダンパ４１の主要部は、左右方向及び上記流れ方向に延びる板状をなしている。シャットダンパ４１は、左右両側部にそれぞれダンパ軸４２（図３では右方のダンパ軸４２のみ図示）を有しており、両ダンパ軸４２において両第１対向壁部１５に傾動可能に支持されている。
【００４５】
上記のようにして、第１実施形態の空調用薄型レジスタ１０の基本構造が構成されている。第１実施形態では、空調用薄型レジスタ１０がさらに、次の特徴を有している。
特徴１：図３に示すように、一方の第１対向壁部１５の下流端部１５ａは、他方の第１対向壁部１５の下流端部１５ａに対し、下流側ほど近づくように傾斜している。第１実施形態では、各下流端部１５ａは、下流側ほど通風路１３の中心軸線ＣＬに近づくように、同中心軸線ＣＬに対し傾斜している。従って、両下流端部１５ａ間の間隔Ｄ１は下流側ほど狭まる。
【００４６】
特徴２：図３に示すように、上流フィン群における全ての中間フィン３３が上記中心軸線ＣＬに対し平行になる状態を、上流フィン群の「中立状態」というものとする。
上記中立状態では、一方の端フィン３１が、他方の端フィン３１に対し、下流側ほど近づくように傾斜している。第１実施形態では、いずれの端フィン３１についても、下流側ほど上記中心軸線ＣＬに近づくように、同中心軸線ＣＬに対し傾斜している。端フィン３１が中心軸線ＣＬに対しなす角度は、両端フィン３１間で同一である。
【００４７】
特徴３：図３に示すように、上記中立状態では、一方の準端フィン３２が、他方の準端フィン３２に対し、下流側ほど近づくように傾斜している。第１実施形態では、いずれの準端フィン３２についても、下流側ほど上記中心軸線ＣＬに近づくように、同中心軸線ＣＬに対し傾斜している。準端フィン３２が中心軸線ＣＬに対しなす角度は、両準端フィン３２間で同一である。
【００４８】
特徴４：図２及び図４に示すように、リテーナ本体１２は、上記流れ方向における一部に、流路面積が下流側ほど小さくなる縮流部１９を有している。縮流部１９では、一方の第２対向壁部１６が、他方の第２対向壁部１６に対し、下流側ほど近づくように傾斜している。第１実施形態では、各第２対向壁部１６は、下流側ほど上記中心軸線ＣＬに近づくように、同中心軸線ＣＬに対し傾斜している。従って、両第２対向壁部１６間の間隔Ｄ２が下流側ほど狭まり、縮流部１９での通風路１３の流路面積が、上流端１９ａにおいて最大となり、下流側ほど徐々に小さくなり、下流端１９ｂにおいて最小となる。
【００４９】
なお、図２に示すように、縮流部１９のうち、フィン本体３４において上下方向の寸法の大きな上流部が傾動する領域では、両第２対向壁部１６が部分的に中心軸線ＣＬに対し平行に形成されている。
【００５０】
上記下流端１９ｂは、上記流れ方向については、フィン本体３４の下流端と同じ、又は同下流端よりも上流に位置している。また、上記上流端１９ａは、上記流れ方向については、フィン本体３４の上流端よりも上流に位置している。第１実施形態では、上記下流端１９ｂは、中立状態にされた上流フィン群におけるフィン本体３４の上流端と下流端との間に位置している。また、上記上流端１９ａは、流入口１４と、中心軸線ＣＬに対し平行にされたシャットダンパ４１の上流端との間に位置している。
【００５１】
次に、上記のように構成された第１実施形態の作用について説明する。また、作用に伴い生ずる効果についても併せて説明する。
前提として、図２〜図４に示すように、シャットダンパ４１が、上記中心軸線ＣＬに対し、平行な状態、すなわち全開状態にされ、上流フィン群が中立状態にされているものとする。さらに、バレル２４における両主フィン２６の下流部２６ｂと補助フィン２７とが上記中心軸線ＣＬに対し平行にされるとともに、両下流フィン２３のそれぞれの主要部が上記中心軸線ＣＬに対し平行にされているものとする。
【００５２】
上記の状態では、流入口１４からリテーナ１１内に流入した空調用空気Ａ１は、最初にシャットダンパ４１の上側と下側とに分かれて流れる。シャットダンパ４１を通過した空調用空気Ａ１は、上流フィン群において隣り合うフィン本体３４間や、端フィン３１におけるフィン本体３４と、これに隣接する第１対向壁部１５との間を流れた後に、バレル２４内に流入する。
【００５３】
空調用空気Ａ１は、バレル２４内では、両主フィン２６の傾斜した上流部２６ａに沿って流れることで、両下流部２６ｂ間に集められる。そして、空調用空気Ａ１は、下流部２６ｂと補助フィン２７との間、及び両下流フィン２３間を順に流れた後に、吹出口１８から下流側へ真っ直ぐ吹き出される。吹出口１８から吹き出された空調用空気Ａ１は、周囲の空気を巻き込み（取り込み）ながら流れて、乗員に吹き付けられる。
【００５４】
ところで、リテーナ１１内に流入して、図３に示すように、通風路１３における左右両側部分を流れる空調用空気Ａ１の一部は、両第１対向壁部１５に沿って流れる。これらの空調用空気Ａ１は、各下流端部１５ａに沿って流れた後に、吹出口１８の左右両側部分から吹き出される。
【００５５】
ここで、図５（ａ），（ｂ）に示すように、吹出口１８から吹き出された空調用空気Ａ１の上記流れ方向に直交する面での流速の分布を、空調用空気Ａ１の流速分布とする。この流速分布では、中心部分に近づくに従い流速が速くなる。また、中心部分に近づくに従い温度が、吹出口１８から吹き出されたときの温度に近づく。流速分布の中心部分は、ポテンシャルコアＰＣとも呼ばれる。ポテンシャルコアＰＣは、吹出口１８から吹き出されたときの温度を保持しようとする層である。
【００５６】
また、両下流端部１５ａが互いに平行に形成された従来の空調用薄型レジスタを比較例とする。この比較例では、空調用空気Ａ１の流速分布の形状は、吹出口１８の形状に対応した形状になる。すなわち、流速分布の形状は、図５（ｂ）に示すように、左右方向の寸法が上下方向の寸法よりも長い扁平な形状となる。
【００５７】
しかし、第１実施形態では、図３に示すように、両下流端部１５ａがともに中心軸線ＣＬに対し傾斜することで、一方の下流端部１５ａが他方の下流端部１５ａに対し、下流側ほど近づくように、すなわち、両下流端部１５ａ間の間隔Ｄ１が下流側ほど狭まるように、傾斜している（特徴１）。そのため、各下流端部１５ａに沿って流れて、吹出口１８の左右両側部分から吹き出された空調用空気Ａ１は、同吹出口１８から下流側に遠ざかるに従い、左右方向に互いに接近する。
【００５８】
従って、上記流速分布の形状は、吹出口１８の近傍では、左右方向の寸法が上下方向の寸法よりも長い扁平な形状となる。しかし、上記形状は、下流側ほど、左右方向の寸法と、上下方向の寸法との差が小さな形状に変化して、図５（ａ）に示すような円形に近づいていく。こうした形状の流速分布を有する空調用空気Ａ１では、上記扁平な形状の流速分布を有する空調用空気Ａ１（図５（ｂ）参照）に比べ、周囲の空気が中心部分（ポテンシャルコアＰＣ）に到達しにくい。この中心部分は、周囲の空気の温度の影響を受けにくく温度変化を起こしにくい。このようにして、吹出口１８から吹き出された空調用空気Ａ１の温度が周囲の空気の温度に近づくことが抑制される。
【００５９】
吹出口１８から吹き出されたときの温度に近い温度の空調用空気Ａ１が乗員に吹き付けられる。例えば、夏期等、気温の高い状況下で、吹出口１８から冷えた空調用空気Ａ１が吹き出される場合には、その空調用空気Ａ１よりも温度の高い周囲の空気の影響を受けて、同空調用空気Ａ１の温度が上昇する現象が抑制される。吹出口１８から吹き出されたときの温度に近い冷えた空調用空気Ａ１が乗員に吹き付けられる。
【００６０】
また、冬期等、気温の低い状況下で、吹出口１８から温かい空調用空気Ａ１が吹き出される場合には、その空調用空気Ａ１よりも温度の低い周囲の空気の影響を受けて、同空調用空気Ａ１の温度が低くなる現象が抑制される。吹出口１８から吹き出されたときの温度に近い温かい空調用空気Ａ１が乗員に吹き付けられる。
【００６１】
従って、空調により乗員に快適と感じさせる温度の空調用空気Ａ１をその乗員に吹き付けることができ、空調による快適性の向上を図ることができる。
なお、図示しない操作ノブ等の操作を通じて、上流フィン群におけるいずれかのフィン本体３４に対し、左方又は右方へ向かう力が加えられると、そのフィン本体３４がフィン軸３５を支点として、左右方向のうち、力の加えられた方向へ傾動させられる。この傾動はリンク機構ＬＭを介して、上流フィン群における他のフィン本体３４に伝達される。この伝達により、上記他のフィン本体３４が、上記力の加えられたフィン本体３４に同期して同フィン本体３４と同方向へ傾動させられる。上流フィン群における全てのフィン本体３４が中心軸線ＣＬに対し傾斜した状態となる。空調用空気Ａ１は、上記のように傾斜したフィン本体３４に沿って流れることで、向きを変えられて吹出口１８から斜め左方又は斜め右方へ向けて吹き出される。
【００６２】
第１実施形態によると、上記以外にも、次の効果が得られる。
・図３に示すように、上記中立状態では、一方の端フィン３１は、他方の端フィン３１に対し、下流側ほど近づくように、すなわち、両端フィン３１の間隔が下流側ほど狭まるように、傾斜する（特徴２）。通風路１３における左右両側部分を流れる空調用空気Ａ１の一部は、上記のように傾斜した両端フィン３１に沿って流れた後に、吹出口１８の左右両側部分から吹き出される。これらの空調用空気Ａ１は、吹出口１８から下流側に遠ざかるに従い、左右方向に互いに接近する。これらの空調用空気Ａ１の分、吹出口１８から下流側に遠ざかるに従い互いに接近する空調用空気Ａ１の量が多くなる。
【００６３】
従って、上記中立状態で、上記のように、一方の端フィン３１が他方の端フィン３１に対し傾斜しない場合に比べ、空調用空気Ａ１の上記流速分布の形状が、円形に近づく。そのため、この点においても、周囲の空気が流速分布における中心部分に到達するのを抑制し、同中心部分の温度が、周囲の空気の温度の影響を受けるのをより抑制することができる。吹出口１８から吹き出されたときの温度により近い温度の空調用空気Ａ１を乗員に吹き付けて、空調による快適性を向上させる効果を高めることができる。
【００６４】
・図３に示すように、上記中立状態では、一方の準端フィン３２は、他方の準端フィン３２に対し、下流側ほど近づくように、すなわち、両準端フィン３２の間隔が下流側ほど狭まるように、傾斜する（特徴３）。通風路１３における左右両側部分を流れる空調用空気Ａ１の一部は、上記のように傾斜した両準端フィン３２に沿って流れた後に、吹出口１８の左右両側部分から吹き出される。これらの空調用空気Ａ１は、吹出口１８から下流側に遠ざかるに従い、左右方向に互いに接近する。これらの空調用空気Ａ１が加わることで、吹出口１８から下流側に遠ざかるに従い、左右方向に互いに接近する空調用空気Ａ１の量がさらに多くなる。
【００６５】
従って、上記中立状態で、上記のように、一方の準端フィン３２が他方の準端フィン３２に対し傾斜せず、端フィン３１のみが傾斜する場合に比べ、空調用空気Ａ１の上記流速分布の形状が、さらに円形に近づく。そのため、この点においても、吹出口１８から吹き出されたときの温度により近い温度の空調用空気Ａ１を乗員に吹き付けて、空調による快適性を向上させる効果をさらに高めることができる。
【００６６】
・第１実施形態の縮流部１９では、図２及び図４に示すように、両第２対向壁部１６間の間隔Ｄ２が下流側ほど狭まるように、両第２対向壁部１６が中心軸線ＣＬに対し傾斜している。一方の第２対向壁部１６が、他方の第２対向壁部１６に対し、下流側ほど近づくように傾斜している（特徴４）。縮流部１９での通風路１３の流路面積が、上流端１９ａにおいて最大となり、下流側ほど徐々に小さくなり、下流端１９ｂにおいて最小となっている。
【００６７】
そのため、リテーナ１１内に流入した空調用空気Ａ１は、上記のように流路面積が下流側ほど小さくなる縮流部１９を流れることで、流速を速められる。そして、このように流速の速くなった空調用空気Ａ１のうち、通風路１３における左右両側部分を流れるものが、端フィン３１及び準端フィン３２のそれぞれにおけるフィン本体３４に沿って流れ、あるいは、第１対向壁部１５の下流端部１５ａに沿って流れる。上記のように流速の速い空調用空気Ａ１が流れることで、吹出口１８の左右両側部分から吹き出された空調用空気Ａ１の、同吹出口１８から下流側に遠ざかるに従い、左右方向に互いに接近しようとする力が強められる。空調用空気Ａ１の上記流速分布の形状は、より円形に近い形状になる。そのため、この点においても、吹出口１８から吹き出されたときの温度により近い温度の空調用空気Ａ１を乗員に吹き付けて、空調による快適性を向上させる効果を高めることができる。
【００６８】
（第２実施形態）
次に、空調用薄型レジスタの第２実施形態について、図７を参照して説明する。
第２実施形態は、上記特徴２に代えて、次の特徴５を有している。また、上記特徴３に代えて、次の特徴６を有している。
【００６９】
特徴５：上記中立状態では、一方の端フィン３１が、他方の端フィン３１に対し、下流側ほど遠ざかるように傾斜している。第２実施形態では、いずれの端フィン３１についても、下流側ほど上記中心軸線ＣＬから遠ざかるように、同中心軸線ＣＬに対し傾斜している。端フィン３１が中心軸線ＣＬに対しなす角度は、両端フィン３１間で同一である。
【００７０】
特徴６：上記中立状態では、一方の準端フィン３２が、他方の準端フィン３２に対し、下流側ほど遠ざかるように傾斜している。第２実施形態では、いずれの準端フィン３２についても、下流側ほど上記中心軸線ＣＬから遠ざかるように、同中心軸線ＣＬに対し傾斜している。準端フィン３２が中心軸線ＣＬに対しなす角度は、両準端フィン３２間で同一である。
【００７１】
上記以外の構成は第１実施形態と同様である。従って、第２実施形態において第１実施形態で説明したものと同様の要素には同一の符号を付し、重複する説明を省略する。
そのため、特徴１及び特徴４による作用及び効果については、第２実施形態でも第１実施形態と同様に得られる。
【００７２】
また、中立状態では、端フィン３１及び準端フィン３２が、中心軸線ＣＬに対し、第１実施形態とは反対方向へ傾斜することから、次の作用及び効果が得られる。
上記中立状態では、一方の端フィン３１が、他方の端フィン３１に対し、下流側ほど遠ざかるように、すなわち、両端フィン３１の間隔が下流側ほど広がるように、傾斜する（特徴５）。通風路１３における左右両側部分を流れる空調用空気Ａ１の一部は、上記のように傾斜した両端フィン３１に沿って流れた後に、上記下流端部１５ａに当たって流れ方向を、同下流端部１５ａに沿う方向に変えられる。上記のように流れ方向を変えられた空調用空気Ａ１の分、各下流端部１５ａに沿って流れて、吹出口１８の左右両側部分から吹き出される空調用空気Ａ１の量が多くなる。これに伴い、吹出口１８から下流側に遠ざかるに従い、左右方向に互いに接近する空調用空気Ａ１の量が多くなる。
【００７３】
従って、上記中立状態で、上記のように、一方の端フィン３１が他方の端フィン３１に対し傾斜しない場合に比べ、空調用空気Ａ１の上記流速分布の形状が、円形に近づく。そのため、この点においても、周囲の空気が流速分布における中心部分に到達するのを抑制し、同中心部分の温度が、周囲の空気の温度の影響を受けるのをより一層抑制することができる。
【００７４】
また、上記中立状態では、一方の準端フィン３２が、他方の準端フィン３２に対し、下流側ほど遠ざかるように、すなわち、両準端フィン３２の間隔が下流側ほど広がるように、傾斜する（特徴６）。通風路１３における左右両側部分を流れる空調用空気Ａ１の一部は、上記のように傾斜した両準端フィン３２に沿って流れた後に、上記下流端部１５ａに当たって流れ方向を、同下流端部１５ａに沿う方向に変えられる。上記のように流れ方向を変えられた空調用空気Ａ１の分、各下流端部１５ａに沿って流れて吹出口１８から吹き出される空調用空気Ａ１の量が多くなる。これに伴い、吹出口１８から下流側に遠ざかるに従い、左右方向に互いに接近する空調用空気Ａ１の量が多くなる。
【００７５】
従って、上記中立状態で、上記のように、一方の準端フィン３２が他方の準端フィン３２に対し傾斜せず、端フィン３１のみが傾斜する場合に比べ、空調用空気Ａ１の上記流速分布の形状が、さらに円形に近づく。そのため、この点においても、周囲の空気が流速分布における中心部分に到達するのを抑制し、同中心部分の温度が、周囲の空気の温度の影響を受けるのをさらに抑制することができる。
【００７６】
このようにして、第２実施形態によると、吹出口１８から吹き出されたときの温度により近い温度の空調用空気Ａ１を乗員に吹き付けて、空調による快適性を向上させる効果を高めることができる。
【００７７】
第２実施形態によると、上記以外にも、次の効果が得られる。
・図３及び図７に示すように、上流フィン群が中立状態にされて、端フィン３１が中心軸線ＣＬに対し傾斜した場合、端フィン３１の上流端と隣の第１対向壁部１５との間の間隔を、間隔Ｄ３とする。図７に示す第２実施形態における間隔Ｄ３は、図３に示す第１実施形態における間隔Ｄ３よりも広くなる。端フィン３１と隣の第１対向壁部１５との間に流入する空調用空気Ａ１の量は、第２実施形態の方が第１実施形態よりも多くなる。より多くの空調用空気Ａ１が下流端部１５ａに当たって、中心軸線ＣＬに向けて流れる。空調用空気Ａ１の上記流速分布の形状を、より円形に近づけることができる。
【００７８】
なお、上述した各実施形態は、これを以下のように変更した変形例として実施することもできる。
＜吹出口１８について＞
・吹出口１８では、両短辺部２１と両長辺部２２とが必ずしも直交していなくてもよく、同吹出口１８が長方形又は長方形に近い四角形となることを条件に、多少斜めに交差してもよい。
【００７９】
＜上流フィン群について＞
・端フィン３１及び準端フィン３２の組合せをフィン組合せとすると、このフィン組合せは、上流フィン群における左右両側部に位置する。フィン組合せ毎の端フィン３１及び準端フィン３２は、上流フィン群が中立状態にされたときに、中心軸線ＣＬとの関係で、次の態様を採るように配置されてもよい。
【００８０】
（ａ）一方のフィン組合せのみにおいて、端フィン３１のみが、下流側ほど中心軸線ＣＬに近づくように、又は同中心軸線ＣＬから遠ざかるように、同中心軸線ＣＬに対し傾斜する態様。
【００８１】
（ｂ）一方のフィン組合せのみにおいて、端フィン３１及び準端フィン３２がともに、下流側ほど中心軸線ＣＬに近づくように、又は同中心軸線ＣＬから遠ざかるように、同中心軸線ＣＬに対し傾斜する態様。
【００８２】
（ｃ）両方のフィン組合せのそれぞれにおいて、端フィン３１のみが、下流側ほど中心軸線ＣＬに近づくように、又は同中心軸線ＣＬから遠ざかるように、同中心軸線ＣＬに対し傾斜する態様。
【００８３】
（ｄ）両方のフィン組合せのそれぞれにおいて、端フィン３１及び準端フィン３２がともに、下流側ほど中心軸線ＣＬに近づくように、又は同中心軸線ＣＬから遠ざかるように、同中心軸線ＣＬに対し傾斜する態様。上述した第１及び第２実施形態が（ｄ）の態様に該当する。
【００８４】
・上流フィン群が中立状態にされたときに、両方のフィン組合せにおける端フィン３１がともに中心軸線ＣＬに対し傾斜する場合、端フィン３１が中心軸線ＣＬに対しなす角度は、両端フィン３１間で異なってもよい。
【００８５】
・上流フィン群が中立状態にされたときに、両方のフィン組合せにおける準端フィン３２がともに中心軸線ＣＬに対し傾斜する場合、準端フィン３２が中心軸線ＣＬに対しなす角度は、両準端フィン３２間で異なってもよい。
【００８６】
・上流フィン群が中立状態にされたときに、同一のフィン組合せにおける端フィン３１及び準端フィン３２がともに中心軸線ＣＬに対し傾斜する場合、同中心軸線ＣＬに対しなす角度は、端フィン３１と準端フィン３２とで同一であってもよいし、異なってもよい。
【００８７】
・図６において実線で示すように、上流フィン群におけるフィン本体３４として、上下方向の寸法が、上記流れ方向におけるどの箇所でも一定のものが用いられてもよい。
・図６において二点鎖線で示すように、上流フィン群における各フィン本体３４の上縁部が、縮流部１９における上側の第２対向壁部１６に対応して、下流側ほど低くなるように中心軸線ＣＬに対し傾斜させられてもよい。同様に、各フィン本体３４の下縁部が、縮流部１９における下側の第２対向壁部１６に対応して、下流側ほど高くなるように中心軸線ＣＬに対し傾斜させられてもよい。このようにすることで、上記上縁部と上側の第２対向壁部１６との隙間を小さくし、上記下縁部と下側の第２対向壁部１６との隙間を小さくすることができる。各フィン本体３４が左右方向へ傾動された場合に、空調用空気Ａ１が上記隙間を流れるのを規制し、流れることにより指向性が低下するのを抑制することができる。
【００８８】
ただし、上記隙間の大きさが過度に小さいと、各フィン本体３４が左右方向へ傾動されたときに、第２対向壁部１６と干渉するおそれがある。そこで、上記隙間の大きさは、各フィン本体３４が左右方向へ傾動された場合に、同フィン本体３４と第２対向壁部１６とが干渉しない大きさに設定されることが望ましい。上記指向性の低下を抑制する観点からは、上記隙間の大きさは、各フィン本体３４が左右方向へ傾動された場合に、同フィン本体３４と第２対向壁部１６とが干渉しない最小の大きさに設定されることが望ましい。
【００８９】
・両端フィン３１、両準端フィン３２及び全ての中間フィン３３のそれぞれにおけるアーム３６の延びる方向が、図６に示すように、上記第１実施形態とは逆方向、すなわち、下流に向かう方向へ変更されてもよい。この場合、各アーム３６の下流端部に連結ピン３７が設けられる。
【００９０】
・図２及び図６におけるフィン本体３４の下流端が、上記流れ方向における縮流部１９の下流端と同じ位置に変更されてもよい。
・中間フィン３３の数が変更されてもよい。この数の取り得る最小値は「１」である。
【００９１】
＜縮流部１９について＞
・第２対向壁部１６に代えて、又は加えて、両第１対向壁部１５間の間隔が下流側ほど狭まるように、一方の第１対向壁部１５が、他方の第１対向壁部１５に対し、下流側ほど近づくように傾斜させられてもよい。ようにしても、流路面積が下流側ほど小さくなる縮流部１９をリテーナ１１の一部に形成することができる。
【００９２】
・縮流部１９の上流端１９ａが上記各実施形態よりも上流側へ設定されてもよい。最も上流側に設定された場合、上記上流端１９ａは、流入口１４に合致してもよい。
＜その他の事項について＞
・下流フィン群やシャットダンパ４１として、上記各実施形態とは異なる構成を有するものが採用されてもよい。
【００９３】
・第１実施形態における空調用薄型レジスタは、下記例外１を除き、上記特徴２〜特徴４の少なくとも１つを有しないものであってもよい。
例外１：特徴２を有しない場合には、特徴３を併せて有しないようにする。すなわち、空調用薄型レジスタは、特徴２を有することを前提として特徴３を有する。
【００９４】
また、第２実施形態における空調用薄型レジスタは、下記例外２を除き、上記特徴４〜特徴６の少なくとも１つを有しないものであってもよい。
例外２：特徴５を有しない場合には、特徴６を併せて有しないようにする。すなわち、空調用薄型レジスタは、特徴５を有することを前提として特徴６を有する。
【００９５】
上記いずれの変形例の場合にも、空調用薄型レジスタは上記特徴１を有するため、吹出口１８から吹き出される空調用空気Ａ１の温度が周囲の空気の温度に近づくのを抑制する効果が得られる。
【００９６】
・上記空調用薄型レジスタは、車室内においてインストルメントパネルとは異なる箇所に設けられるものであってもよい。
・上記空調用薄型レジスタは、空調装置から送られてきて室内に吹き出される空調用空気の向きをフィンによって調整することのできるものであれば、車両に限らず広く適用可能である。
【００９７】
・空調用薄型レジスタは、吹出口１８が縦長となるように配置されるものであってもよい。この場合、下流フィン２３及びバレル２４として、それぞれ上下方向に細長いものが用いられる。また、上流フィン群における両端フィン３１、両準端フィン３２及び中間フィン３３としては、それぞれ左右方向及び上記流れ方向へ延びるものが用いられ、これらが互いに上下方向に離間した状態で配置される。
【符号の説明】
【００９８】
１０…空調用薄型レジスタ、１１…リテーナ、１３…通風路、１５…第１対向壁部、１５ａ…下流端部、１６…第２対向壁部、１８…吹出口、１９…縮流部、１９ａ…上流端、１９ｂ…下流端、２１…短辺部、２２…長辺部、３１…端フィン、３２…準端フィン、３３…中間フィン、３４…フィン本体、３５…フィン軸、Ａ１…空調用空気、ＣＬ…中心軸線。
【図１】
2020172189.tif 000003
【図２】
2020172189.tif 000004
【図３】
2020172189.tif 000005
【図４】
2020172189.tif 000006
【図５】
2020172189.tif 000007
【図６】
2020172189.tif 000008
【図７】
2020172189.tif 000009